(57)【要約】【課題】セキュリティ機器１１が動作した場合に、どのセキュリティ機器が異常信号を出力しているのかを容易に認識できるようにする。【解決手段】  複数のセキュリティ機器１１が接続され、そのセキュリティ機器から異常信号を受信すると、表示部５に異常信号に伴う表示を行う防災機器において、異なる２つのセキュリティ機器１１から異常信号を受信した時、表示部５への異常信号に伴う表示を交互に行わせる。  また、セキュリティ機器からの異常信号に優先順位を設定し、同じ優先順位の異常信号が２つ発生した時、表示部への異常信号に伴う表示を交互に行わせる。  また、セキュリティ機器から異常信号を受信すると、音声警報を行う警報部６を設け、その音声警報に合わせて、表示部への異常信号に伴う表示を行わせる。【選択図】図２
2005293204.tif 000002
【特許請求の範囲】
【請求項１】
複数のセキュリティ機器が接続され、該セキュリティ機器から異常信号を受信すると、表示部に該異常信号に伴う表示を行う防災機器において、
異なる２つの前記セキュリティ機器から異常信号を受信した時、前記表示部への異常信号に伴う表示を交互に行わせる制御部を設けたことを特徴とする防災機器。
【請求項２】
前記セキュリティ機器からの異常信号に優先順位を設定し、
同じ優先順位の異常信号が２つ発生した時、前記表示部への異常信号に伴う表示を交互に行わせることを特徴とする請求項１記載の防災機器。
【請求項３】
前記セキュリティ機器から異常信号を受信すると、音声警報を行う警報部を設け、該音声警報に合わせて、前記表示部への異常信号に伴う表示を行わせることを特徴とする請求項１又は請求項２記載の防災機器。
【発明の詳細な説明】
【技術分野】
【０００１】
本発明は防災機器、特に集合住宅の住戸に設置される住宅情報盤に関するものである。
【背景技術】
【０００２】
集合住宅であるマンションの各住戸には、防災機器としての住宅情報盤が設置されている。この住宅情報盤には、火災感知器や防犯センサなどの複数のセキュリティ機器が接続されている。そして、そのセキュリティ機器から異常信号を受信すると、住宅情報盤の表示部に異常表示を行うと共に、スピーカから異常警報を行うように構成されている。
【０００３】
住宅情報盤の表示部としては、例えば特許文献１に記載のようなものがある。これは、図５に示すように、各種セキュリティ機器の絵文字を表示部に複数個設け、該当するセキュリティ機器から異常信号を受信すると、対応する絵文字部分を点灯させるものである。
【０００４】
また特許文献２のように、セキュリティ機器から異常信号が出力された際、カラーＬＣＤに、セキュリティ映像及び異常内容（発報内容）の文章を表示させるものもある。
【特許文献１】特開２０００−２１５３６８号公報
【特許文献２】特開２００１−１７５９７４号公報
【発明の開示】
【発明が解決しようとする課題】
【０００５】
特許文献１の住宅情報盤の表示部では、全てのセキュリティ機器に対応する異常表示の絵文字表示部があるので、複数のセキュリティ機器が動作した場合、どの機器が異常発報しているのかがわかりやすい。しかし、表示部自体が大きくなる、又は一つの絵文字表示部が小さくなってしまうという問題がある。
【０００６】
また特許文献２の住宅情報盤の表示部では、一つのモニタ（カラーＬＣＤ）に、一つの異常内容を表示させるので、特許文献１に比べ、大きく異常表示ができ異常内容を認識しやすい。しかし、複数のセキュリティ機器が動作した場合に、どの機器が異常信号を出力しているのかがわかりにくいという問題がある。
【０００７】
そこで、本発明は、表示部を大きくすることなく、セキュリティ機器が動作した場合に、どのセキュリティ機器が異常信号を出力しているのかを容易に認識できるようにすることを目的とする。
【課題を解決するための手段】
【０００８】
本発明は以上の課題を解決するためになされたもので、複数のセキュリティ機器が接続され、該セキュリティ機器から異常信号を受信すると、表示部に該異常信号に伴う表示を行う防災機器において、異なる２つの前記セキュリティ機器から異常信号を受信した時、前記表示部への異常信号に伴う表示を交互に行わせる制御部を設けたことを特徴とするものである。
【０００９】
また、セキュリティ機器からの異常信号に優先順位を設定し、同じ優先順位の異常信号が２つ発生した時、前記表示部への異常信号に伴う表示を交互に行わせることを特徴とするものである。また、セキュリティ機器から異常信号を受信すると、音声警報を行う警報部を設け、該音声警報に合わせて、前記表示部への異常信号に伴う表示を行わせることを特徴とするものである。
【発明の効果】
【００１０】
本発明では、異なる２つのセキュリティ機器Ａ，Ｂから同時に異常信号を受信すると、セキュリティ機器Ａの異常信号に伴う表示ａと、セキュリティ機器Ｂの異常信号に伴う表示ｂとを表示部に交互に行わせるように制御する。このため住戸内の人は、どのセキュリティ機器による異常が発生しているのかを素早く認識することができる。ここで上述の「同時に」とは、一つのセキュリティ機器からの異常信号による表示中に、異なる二つ目のセキュリティ機器から異常信号を受信した場合も含む。
【００１１】
またセキュリティ機器の異常信号に優先順位を設定し、同じ優先順位の異常信号が２つ発生した時に、表示部への異常信号に伴う表示を交互に行わせようにした。このため、優先順位の高い異常である「火災」と優先順位の低い異常である「故障」が発生した場合には、交互表示を行わずに、優先順位の高い「火災」の異常表示だけを行う。よって住戸内の人は、最重要な異常の発生だけを一目で確認することができる。
【００１２】
また表示部への異常信号に伴う表示は、警報部からの音声警報に合わせて行われ、目と耳によって同時に異常の確認を行えるので、異常の発生を認識しやすい。
【発明を実施するための最良の形態】
【００１３】
実施形態１                                                                  図１は本発明の防災機器の一例である住宅情報盤の斜視図である。図において、１は住宅情報盤で、２はベース３と周壁を有するカバー４とからなる筐体である。カバー４の前面側中央部の上下方向には、上側から表示部５としてのＬＣＤからなるモニタ、警報部６としてのスピーカ及び通話釦２０が設けられる。また７は表示部５の両側に設けられた各種操作用のボタンで、８はセキュリティ機器の一つである非常用押しボタンである。
【００１４】
次に、図２に複数のセキュリティ機器が接続された住宅情報盤１のブロック図を示す。図２において、２１は住宅情報盤１に設けた受信部で、図示しないインターフェースを介してセキュリティ機器１１が接続され、セキュリティ機器１１からの異常信号を受信する。セキュリティ機器としては、例えば火災感知器１２，ガス漏れ検知器１３，防犯センサ１４，ＣＯセンサ１５，コール部１６などが設けられ、これ以外にも図示しないが，水漏れセンサやスプリンクラ消火設備の流水検知器などがセキュリティ機器となる。セキュリティ機器１１は、火災やガス漏れなどの異常状態を検知すると、異常信号を住宅情報盤１に出力する。
【００１５】
警報部６は、セキュリティ機器１１から異常信号を受信すると、音声による警報を行う。警報部６は、図示しないスピーカ、アンプ、Ｄ／Ａ変換部などから構成され、制御部２９から出力されたデジタルの音声信号（警報メッセージ）を、Ｄ／Ａ変換部においてアナログ信号に変換し、さらにアンプで増幅した後、スピーカから音声警報として出力させる。警報部６のスピーカから発せられる各警報の内容は、デジタルデータとして異常種別毎に記憶部３０に格納されている。より具体的には、「ファンフォンファンフォン  火事です火事です火災が発生しました  安全を確認の上  避難して下さい  ビュービュービュ」のような警報メッセージのデータが、フレーズ又は単語毎に記憶され、制御部２９はこのフレーズ単位でデータを読み出して警報部６へ出力する。
【００１６】
住宅情報盤１は、前述したように、表示部５及び警報部６を備え、セキュリティ機器１１から異常信号を受信すると、表示部５にその異常信号に伴う表示を行うと共に、警報部６で音声による警報を行う。例えば、セキュリティ機器１１である火災感知器１２から異常信号である火災信号を受信すると、表示部５に火災発生を示す絵表示で異常表示を行い、また警報部６から音声などで火災が発生したことを警報する。１９は通話釦２０を有する通話部で、図示しないドアホンや集合玄関機などと接続され、それらと通話を行う部分である。なお、以上まで説明した部分は、従来の住宅情報盤が備えている公知の部分である。
【００１７】
記憶部３０には、前述の警報メッセージや各種プログラムが記憶される他、図３に示す優先順位のテーブルが格納されている。このテーブルは、セキュリティ機器１１からの異常信号に優先順位を設定したもので、各種の異常状態をその優先度合いに応じて５つに分けてある。ここで図３を用いて異常信号の優先順位について説明する。異常状態には、「火災」や「ガス漏れ」のように至急に警報すべき状態と、「故障」のように比較的警報が遅れても問題とならない状態とがある。図３の設定データは、このような異常状態をその緊急度合いに応じて優先順位付けしたもので、制御部２９は、複数の異常信号を受信した時、この優先順位に基づいて警報表示を行う。
【００１８】
ここで優先順位に基づく警報表示とは、異なる２つのセキュリティ機器１１から同時に異常信号を受信して、異常信号が２つ発生した時の警報表示の処理方法のことを言う。具体的には、同じ優先順位の異常信号がそろった時は、制御部２９は、この２つの異常状態を１つの表示部５へ表示させるためその異常状態を交互に警報表示し、異なる優先順位の異常信号がそろった時は、制御部２９は優先順位の高い異常状態だけ警報表示する。
【００１９】
この図２のブロック図で示した各構成要素である表示部５〜記憶部３０までは、ＭＰＵ（マイクロプロセッサ）などで構成される制御部２９によって制御される。なお、カウンタ回路２３，表示灯２５，発光制御回路２７については実施形態２で説明する。
【００２０】
次に、この住宅情報盤１の動作について説明する。例えば住戸内でガス漏れと火災が発生すると、セキュリティ機器１１であるガス漏れ検知器１３が異常信号としてのガス漏れ信号を住宅情報盤１に出力する。また火災感知器１２が異常信号としての火災信号を住宅情報盤１に出力する。住宅情報盤１は、異なる２つのセキュリティ機器１２，１３から同時に異常信号を受信すると、図３のテーブルを参照して、その発生している異常の優先順位が同じであるかどうかを判断する。
【００２１】
今回の場合は、「火災」と「ガス漏れ」で同じ優先順位１なので、制御部２９は、火災信号に伴う表示と、ガス漏れ信号に伴う表示とを表示部５に交互に行わせるように制御する。具体的には図４に示すように、『ガス漏れ発生を示す絵文字』と『火災発生を示す絵文字』の表示を切り換えて交互に表示を行う。また表示部５への表示と同時に、警報部６からガス漏れが発生したことを示す音声警報と火災が発生したことを示す音声警報が行われる。即ち、制御部２９は、異常信号を受信部２１を介して受信すると、異常内容に応じて、記憶部３０内のデータから所定の警報データを選択し、その警報データをフレーズ単位で読み出して警報部６に出力する。警報部６は、制御部２９から出力されたデジタルの音声信号を、Ｄ／Ａ変換部においてアナログ信号に変換し、アンプで増幅した後、スピーカから音声警報として出力させる。
【００２２】
この表示部５への異常信号に伴う表示は、音声警報に合わせて行われ、交互表示の切換タイミングは、音声警報が１サイクル終了すると表示を切り換えるように制御される。
【００２３】
つまり、ガス漏れが発生すると、記憶部３０に格納されたガス漏れ用の警報メッセージである「ピッピッピッピッピッ  ガス漏れです」が警報部６から出力され、その音声警報中は表示部５にガス漏れを示す絵文字を表示する。そしてガス漏れの警報メッセージを１回（１サイクルという）出力し終わったら、今度は、火災用の警報メッセージである「ファンフォンファンフォン  火事です火事です火災が発生しました  安全を確認の上  避難して下さい  ビュービュービュー」が警報部６から出力され、その音声警報中は火災発生を示す絵文字を表示部５に表示する。後は、復旧されるまで、この繰り返しである。なお、ここでもしガス漏れしか生じていないならば、先のガス漏れの音声メッセージだけを繰り返して音声警報すると共にガス漏れの絵文字表示を継続して行う。また「ガス漏れ」と「火災」が同時に発生した場合について説明したが、「ガス漏れ」発生後に、「火災」が発生した場合でも同様に交互表示が行われる。
【００２４】
続いて、「火災」と「故障」のように、優先順位が異なる異常が２つ発生する場合について説明する。この場合、例えば火災感知器１２から火災信号を受信し、ガス漏れ検知器１３から故障信号を受信した場合には、制御部２９は、図３のテーブルを参照して、その発生している異常の優先順位が同じであるかどうかを判断する。この場合には、優先順位が異なるので、より上位の優先順位にある異常の警報表示を行うように制御する。つまり「故障」は「火災」に比べて緊急度合いが低いので、警報表示対象から外し、表示部５には火災発生を示す絵文字表示だけを行い、警報部６からの音声警報も火災発生を示す警報だけを行う。
【００２５】
以上説明したように、同じ優先順位の異常信号が２つ発生した時には、表示部５への異常信号に伴う表示を交互に行わせようにしたので、住戸内の人は、どのセキュリティ機器１１による異常が発生しているのかを素早く認識することができる。また優先順位に基づいて警報がなされるので、住戸内の人は、最重要な異常の発生だけを一目で確認することが可能となる。
【００２６】
なお本実施形態において、図３の優先順位４のように、「コール」、「換気」、「水漏れ」の３つの異常が発生した場合には、それぞれの絵文字表示を順番に次々と行うように表示制御する。また表示部への異常表示は音声警報のサイクルに合わせて行うようにしたが、音響停止スイッチが操作され、警報音が停止している際は、例えば２秒という周期で、交互に異常表示を繰り返すように制御すればよい。また優先順位が同じものの場合に、交互に表示するようにしたが、優先順位が異なる場合にも両者を交互に表示させるようにしてもよい。この場合には、優先順位の高いものを認識しやすくさせるため、優先順位の低いものより表示時間を長くして表示させたりしてもよい。
実施形態２
以上のように異常表示に優先付けを行うと、異なる優先順位の異常が２つ以上発生した場合には、重要でない異常は警報表示がなされない。そこで、異常表示はしなくても、重要でない異常が発生していることを示すために次のように構成してもよい。この実施形態では、図２のブロック図に、カウンタ回路２３、表示灯２５及び発光制御回路２７を設けるようにすればよい。以下、この構成について説明する。
【００２７】
２３はカウンタ回路で、受信部２１で受信した、セキュリティ機器１１が出力した信号の数をカウントする。２５はＬＥＤからなる表示灯で、図１に示すように表示部５の上方に設けられる。表示灯２５は、セキュリティ機器１１からの信号を受信すると発光するもので、より具体的には、セキュリティ機器１１から優先順位の異なる２つ以上の信号を受信した際に発光するよう構成されている。２７は発光制御回路で、カウンタ回路２３がカウントした信号の数に基づいて、表示灯２５を所定の周期で点滅させる回路である。
【００２８】
次にこの実施形態の作用について説明する。何らかの異常が既に発生している際に、さらに優先順位の異なる別のセキュリティ機器１１からの信号（２報目以降の信号）を受信して、表示灯２５を発光させる場合について説明する。
【００２９】
住戸内でガス漏れに続いて、ＣＯセンサ１５が動作して住戸内の換気の必要性が生じると、住宅情報盤１は、異常信号である換気信号を受信部２１で受信する。カウンタ回路２３は、先程のガス漏れ信号でまず起動して、ガス漏れ信号に続いて発生する後続の異常信号の数をカウントする。この場合には、換気信号の発生に伴い、異常信号の数「１」をカウントする。
【００３０】
発光制御回路２７は、カウンタ回路がカウントした異常信号の数「１」に基づき、表示灯２５を、所定の周期、例えば０．５秒周期で表示灯２５を点滅させる。仮に、ガス漏れ検知器１３、ＣＯセンサ１５に続いて、優先順位５の感知器の故障信号を受信したら、カウンタ回路２３がカウントする異常信号の数は「２」となる。そうすると、発光制御回路２７は、表示灯２５を所定の点滅周期で点滅させる。例えば１３３ｍｓｅｃで表示灯２５を２回点滅、そして消灯の動作を繰り返すことになる。
【００３１】
このように、本実施形態においては、表示部５に異常表示を行っている際、さらに別のセキュリティ機器１１から異常信号を受信した時、表示灯２５を発光させるので、住戸の人は、モニタ（表示部）５に表示されている異常以外にも、何らかの異常が発生していることを知ることができる。特に、発光制御回路２７は、発光期間中に異常信号の数だけ発光パルスを出力して表示灯２５を点滅させているので、住戸の人は、表示灯２５の点滅回数を数えることで、いくつのセキュリティ機器１１が動作して、いくつの異常事態が生じているのかを認識することができる。
【図面の簡単な説明】
【００３２】
【図１】本発明の住宅情報盤の斜視図である。
【図２】住宅情報盤のブロック図である。
【図３】異常状態に優先順位をつけたテーブルである。
【図４】表示部の表示例を示す図面である。
【図５】従来の住宅情報盤の正面図である。
【符号の説明】
【００３３】
１  住宅情報盤、  ２  筐体、  ３  ベース、  ４  カバー、  ５  表示部、  ６  警報部、  ７  操作用ボタン、  ８  非常押しボタン、
１１  セキュリティ機器、  １２  火災感知器、  １３  ガス漏れ警報器、
１４  防犯センサ、  １５  ＣＯセンサ、  １６  コール部、  １９  通話部、
２１  受信部、  ２３  カウンタ回路、  ２５  表示灯、  ２７  発光制御回路、２９  制御部、  ３０  記憶部、  ｔｔ
【図１】
2005293204.tif 000003
【図２】
2005293204.tif 000004
【図３】
2005293204.tif 000005
【図４】
2005293204.tif 000006
【図５】
2005293204.tif 000007